(57)【要約】【課題】  記録媒体を装填する為の保護カバー開閉機構が付き、携帯用もしくは撮影時の安定性の為のグリップベルトのついた撮像装置（たとえばビデオカメラ）のグリップベルトには、長時間の撮影でも手が痛くならないようにクッション性のある甲当て部を備えている。この甲当て部はベルトに対し可動にすることにより使用者が自身の手の大きさに合わせて調節が可能となっている。従来、保護カバーが開時に前記甲当て部が保護カバーに干渉して、保護カバーを開けることが困難な場合があった。【解決手段】  グリップベルトにおいて記録媒体装填用保護カバーの干渉を回避する位置に移動式甲当て部の位置規制手段を備える。【選択図】  図４
2007164073.tif 000002
【特許請求の範囲】
【請求項１】
撮像装置の一側面に記録媒体の装填部を設け、前記装填部を覆うように開閉可能に設けられた保護カバーと、一端を撮像装置本体に固定され、他端が前記カバーに対し長さ調節自在に保持されたグリップベルトと、前記グリップベルトに対し移動可能な甲当て部とを備えた撮像装置であって、前記グリップベルトは甲当て部の移動規制手段を備え、撮像装置本体から前記移動規制手段の長さが前記保護カバーを開状態にした際の撮像装置本体から保護カバー遠端までの長さ以上であることを特徴とする撮像装置。
【発明の詳細な説明】
【技術分野】
【０００１】
本発明はグリップベルトを備えた撮像装置に関するものである。
【背景技術】
【０００２】
従来の撮像装置のグリップベルトについて図面を参照しながら説明する。
【０００３】
従来、記録媒体を装填する為の保護カバー開閉機構が付き、携帯用もしくは撮影時の安定性の為のグリップベルトのついたビデオカメラがあった。こういったグリップベルトには、長時間の撮影でも手が痛くならないようにクッション性のある甲当て部を備えている。この甲当て部は、ベルトに対し可動にすることにより使用者が自身の手の大きさに合わせて調節が可能となっている。
【０００４】
図７に従来のグリップベルトが装着されたビデオカメラを示す。ビデオカメラ本体１（以下、本体１）には記録媒体の装填時に開閉可能な保護カバー２が装着されている。さらに保護カバー２が全開時において使用者が手を離しても自重にてしまらない程度には開状態を維持できるような仮止め構造になっている。閉じる際には使用者が前記の仮止め力以上の荷重を保護カバー２に与えることにより仮固定を外し、閉じることが可能である。本体１の穴１ａにはグリップベルト３の一端が挿入され、本体１内部にて抜けないよう固定されている。前記グリップベルト３の他端は保護カバー２の穴２ａに挿入後に折り返し、グリップベルトの甲当て部３３にマジックテープ（登録商標）等により固定される。マジックベルトによる固定位置を変えることにより、使用者は手の大きさにあわせてグリップベルトの調節が可能である。また、甲当て部もベルトに対し位置調整が可能な構造になっている。グリップベルト３の本体側の穴１ａ近傍には肩掛け用のストラップベルトを締結する為の環状部材３６、４０を有している。
【０００５】
図８は保護カバー２を開いた状態を本体１の底面から見た図である。甲当て部３３を本体の穴１ａ側へ寄せた状態では甲当て部３３の一部が保護カバー２に当たり、甲当て部３３が曲げられている。
【０００６】
また特許文献１では、グリップベルトの取り付け部が移動することにより、保護カバーとグリップベルトの干渉を防ぐ機構が開示されている。
【特許文献１】特開２０００−１８７９７１号公報
【発明の開示】
【発明が解決しようとする課題】
【０００７】
しかしながら、従来のグリップベルトでは保護カバーの開閉時にグリップベルトが干渉して開閉の妨げになっていた。図中の甲当て部３３は手の疲労を低減させるためにクッション性を備えており、図８に示す様に甲当て部３３が曲げられると、変形を復帰する方向に反力を発生させる。そのため、使用者が手を離すと、前記仮固定を外し、保護カバー２を閉じてしまう。そこで使用者が保護カバー２を手で支え、閉じないようにしつつ、記憶媒体を装填する必要があり、非常に煩わしいという問題があった。
【０００８】
また特許文献１のような機構では、使用中にグリップベルトの位置がずれる可能性があったり、ベルトが移動するスペースが必要なため本体の小型化を困難にしていた。
【課題を解決するための手段】
【０００９】
本発明の撮像装置は、該撮像装置の一側面に記録媒体の装填部を設け、前記装填部を覆うように開閉可能に設けられた保護カバーと、一端を撮像装置本体に固定され、他端が前記カバーに対し長さ調節自在に保持されたグリップベルトと、前記グリップベルトに対し移動可能な甲当て部とを備え、前記グリップベルトは甲当て部の移動規制手段を備え、撮像装置本体から前記移動規制手段の長さが前記保護カバーを開状態にした際の撮像装置本体から保護カバー遠端までの長さ以上であることを特徴としている。
【発明の効果】
【００１０】
以上説明したように、本発明の撮像装置によれば、グリップベルトに甲当て部の移動規制手段を備えることにより、使用者が記録媒体挿入用の保護カバーを開いた際に、グリップベルトが干渉することがなく、使いやすい撮像装置が提供できる。
【発明を実施するための最良の形態】
【００１１】
以下図面を参照しながら、本発明の撮像装置の具体的実施例ついて説明する。
【実施例１】
【００１２】
図１に本発明の撮像装置のグリップベルトを示す。ベルト３１の一端には、マジックベルト３５が付いた生地３４が縫製されている。ベルト３１の材質は繊維による布地、革、合成樹脂等、帯状で変形可能な材質であればよい。ベルト３１の他端には折り返し部３７があり、本体内部での固定に使用する金具、また軸が挿入可能になっている。折り返し部３７近傍に縫製部３８、３９がある。縫製部３９と縫製部３８は折り返した二枚のベルトを縫い合わせている。縫製部３９と縫製部３８の間に環状部材３６、４０が挿通されている。環状部材３６、４０は本体を首や肩からかけて携帯するためのストラップを取り付ける為なので、必要のない場合はなくてもよい。縫製部３８近傍にベルト端面４１がある。甲当て部３３には穴３３ａ、穴３３ｂが開いており、甲当て部３３がベルト３に対し図１の矢印方向へ移動可能になっている。
【００１３】
図２に甲当て部３３の断面形状を示す。甲当て部３３は穴３３ａ、３３ｂが空いた部材３３ｃと、部材３３ｄが重ね合わせた状態にて外周部が接着、縫製等にて結合されている。部材３３ｄと部材３３ｃの外周はほぼ同形状である。穴３３ａ、３３ｂにベルト３１が挿通されることにより、甲当て部３３がベルト３１に対し図１の矢印方向へ移動可能になっている。部材３３ｃと部材３３ｄの材質は繊維による布地、革、合成樹脂等で変形可能な材質であればよく、さらにクッション性を備えていることが望ましい。
【００１４】
図３は本発明の撮像装置を示す斜視図である。ビデオカメラ本体１（以下、本体１）には記録媒体の装填時に開閉可能な保護カバー２が装着されている。さらに保護カバー２が全開時において使用者が手を離しても自重にてしまらない程度には開状態を維持できるような仮固定構造を有している。閉時には使用者が仮止め以上の荷重を保護カバー２に与えることにより仮固定を外し、閉じることが可能である。
【００１５】
図４は保護カバー２を開いた状態を本体底面から見た図である。使用者が甲当て部３３を図４で左側へ移動したときに、ベルト３のベルト端面４１が甲当て部３３の穴３３ｂに当たり、甲当て部３３はそれ以上左側に移動することができないようにする。図４のＬ１は本体１から端面４１までの距離であり、Ｌ２は本体１から保護カバー２の先端部までの距離とする。この時、Ｌ１≧Ｌ２とすることにより端面４１の位置は保護カバー２が開時に甲当て部３３に干渉することなく開く位置に設定される。上記により使用者が無造作に甲当て部３３を移動しても確実に保護カバーの開閉を行うことが出来る。
【００１６】
上記の具体例ではグリップベルトの折り返しの端面を利用して位置規制を行ったが、図５のようにベルトにリベット状の部材を装着してもよいし、図６のようにベルト形状に凹凸をつけて位置規制を行ってもよい。
【図面の簡単な説明】
【００１７】
【図１】本発明の撮像装置のグリップベルト
【図２】甲当て部の断面形状
【図３】本発明の撮像装置の斜視図
【図４】底面から見た本発明の撮像装置
【図５】本発明の撮像装置における甲当て部の位置規制手段
【図６】本発明の撮像装置における甲当て部の別の位置規制手段
【図７】従来のグリップベルトが装着されたビデオカメラ
【図８】本体底面から見た従来の撮像装置
【符号の説明】
【００１８】
１  ビデオカメラ本体
２  保護カバー
３  グリップベルト
３１  ベルト
３２、３５  マジックテープ（登録商標）
３３  甲当て部
３３ａ、３３ｂ  穴
３３ｃ、３３ｄ  甲当て生地
３４  生地
３６、４０  環状部材
３７  ピン
３８、３９  縫製部
【図１】
2007164073.tif 000003
【図２】
2007164073.tif 000004
【図３】
2007164073.tif 000005
【図４】
2007164073.tif 000006
【図５】
2007164073.tif 000007
【図６】
2007164073.tif 000008
【図７】
2007164073.tif 000009
【図８】
2007164073.tif 000010